(57)【要約】【課題】  有線通信機能および無線通信機能の両方を切替えて利用可能であって、利用する通信機能に応じて両通信機能に共通に用いられる機能を調整するための手段、および、通信機能の切替え時におけるデータの重複送信や欠落を防止するための手段を設ける必要のない通信装置、通信システム、通信方法、通信プログラムとその記録媒体を提供する。【解決手段】  送受信に関する動作を制御するための通信制御部２、および、送信データをベースバンド信号へ変調し、受信したベースバンド信号をデジタル復調するデジタル変復調部３を、有線通信機能および無線通信機能について共通とする。【選択図】  図１
2005333395.tif 000002
【特許請求の範囲】
【請求項１】
有線通信機能および無線通信機能の両通信機能を切替え可能に備えた通信装置であって、
送受信に関する動作を制御する通信制御部と、送信する信号の変調および受信した信号の復調を行う変復調部とを、上記両通信機能について共通に備えていることを特徴とする通信装置。
【請求項２】
上記変復調部は、送信するデータをベースバンド信号に変調し、受信したベースバンド信号を復調するものであり、
上記ベースバンド信号に対して、上記ベースバンド信号と無線通信で送受信される信号である無線アナログ信号とを相互に変換するためのアナログ処理の全てまたは一部を施した信号である中間アナログ信号、を生成する共通アナログ処理部を備え、
上記中間アナログ信号を、上記両通信機能について共通に用いることを特徴とする請求項１に記載の通信装置。
【請求項３】
信号を増幅する増幅手段を有し、無線通信時に、上記アナログ処理の一部が施された中間アナログ信号に増幅処理を施して無線アナログ信号を生成し、受信した無線アナログ信号に増幅処理を施して上記中間アナログ信号を生成する無線アナログ処理部を備え、
上記共通アナログ処理部は、上記アナログ処理の一部として、上記アナログ処理から上記増幅処理を除いた処理を行うことを特徴とする請求項２に記載の通信装置。
【請求項４】
送信する信号の搬送波への合成処理および受信した信号に対する上記合成処理の逆処理を行う合成手段を有し、無線通信時に、上記アナログ処理の一部が施された中間アナログ信号に合成処理を施して無線アナログ信号を生成し、受信した無線アナログ信号に上記合成処理の逆処理を施して上記中間アナログ信号を生成する無線アナログ処理部を備え、
上記共通アナログ処理部は、上記アナログ処理の一部として、上記アナログ処理から上記合成処理およびその逆処理を除いた処理を行うことを特徴とする請求項２または３に記載の通信装置。
【請求項５】
上記中間アナログ信号を、有線通信で送受信される信号である有線アナログ信号として用いることを特徴とする請求項２〜４のいずれか１項に記載の通信装置。
【請求項６】
有線通信が可能な状態であるか否かを検知する検知手段を備え、
上記通信制御部は、上記検知手段による検知結果に基づいて有線通信機能または無線通信機能のいずれを通信に利用するか選択することを特徴とする請求項１〜５のいずれか１項に記載の通信装置。
【請求項７】
経過時間を計測する計時手段を備え、
上記通信制御部は、無線通信機能を選択しているときに、上記検知手段によって有線通信が可能な状態であることを検知した場合、上記計時手段に当該検知後の経過時間を計測させ、当該検知後、有線通信が可能な状態が所定の時間継続した場合に、有線通信機能に切替えることを特徴とする請求項６に記載の通信装置。
【請求項８】
上記通信制御部は、有線通信機能を選択しているときに、上記検知手段によって有線通信が不可能な状態であることを検知した場合、無線通信機能に切替えることを特徴とする請求項６または７に記載の通信装置。
【請求項９】
上記変復調部は、転送データ量の異なる複数の変調方式で変復調処理を行うことができ、
上記通信制御部は、有線通信が選択されている場合、上記変復調部における変復調処理を、無線通信が選択されている場合よりも転送データ量の大きな変復調方式で行わせることを特徴とする請求項６〜８のいずれか１項に記載の通信装置。
【請求項１０】
上記通信制御部は、いずれか一方の通信機能のみを用いている場合に、他方の通信機能のみで利用される回路を低消費電力状態にすることを特徴とする請求項６〜９のいずれか１項に記載の通信装置。
【請求項１１】
有線通信の受信信号を検出する有線受信検出手段と、無線通信の受信信号を検出する無線受信検出手段とを備え、
上記通信制御部は、いずれかの受信検出手段によって受信信号が検出された場合に、受信信号が検出された通信機能からの受信を選択することを特徴とする請求項１〜５のいずれか１項に記載の通信装置。
【請求項１２】
上記通信制御部は、信号送信時に、有線通信および無線通信の両方を用いて信号を送信させることを特徴とする請求項１〜１１のいずれか１項に記載の通信装置。
【請求項１３】
上記通信制御部は、有線通信もしくは無線通信のいずれか一方で通信を行う場合、当該通信を開始する前に、無線通信および有線通信の両方を用いて開始通知、または当該通信の通信期間情報を送信させることを特徴とする請求項１〜１１のいずれか１項に記載の通信装置。
【請求項１４】
請求項１〜１３のいずれか１項に記載の通信装置を含む通信システム。
【請求項１５】
請求項１〜５、１１〜１３のいずれか１項に記載の通信装置を２台以上含み、かつ、無線通信機能または有線通信機能のいずれかのみを有する通信装置を含むことを特徴とする請求項１４に記載の通信装置。
【請求項１６】
請求項９または１２に記載の通信装置を、当該通信システムに含まれる他の通信装置の管理を行う通信装置として用いることを特徴とする請求項１４に記載の通信システム。
【請求項１７】
有線通信機能および無線通信機能の両通信機能を切替えて通信を行う通信方法であって、
送信する信号の変調処理および受信した信号の復調処理を、上記両通信機能について共通の処理として行うことを特徴とする通信方法。
【請求項１８】
通信装置に備えられたコンピュータを、請求項１〜１３のいずれか１項に記載の通信制御部として機能させるための通信プログラム。
【請求項１９】
請求項１８に記載のプログラムを記録した記録媒体。
【発明の詳細な説明】
【技術分野】
【０００１】
本発明は、有線通信機能と無線通信機能とを切替え可能な通信装置よおび通信システム、通信方法、通信プログラムとその記録媒体に関する。
【背景技術】
【０００２】
従来より、有線通信機能と無線通信機能とを有する通信システムがある。このような通信システムでは、例えば、利用場所の自由度が必要な場合には無線通信機能を利用し、広帯域のアプリケーションが必要な場合、あるいは何らかの理由で無線電波が不安定になった場合、あるいは保有している充電機能の電力の低下により電力供給を行う装置に接続される場合などには有線通信機能を利用することができる。
【０００３】
また、このような通信システムにおいて、有線通信機能と無線通信機能との切替えを、自動的かつ適切に行うことによりユーザの利便性を向上させる種々の提案がなされている。
【０００４】
例えば、特許文献１には、有線通信用Ｉ／Ｆ（インターフェース）と無線通信用Ｉ／Ｆの切替えを行う切替手段を備えた通信端末装置が記載されている。また、特許文献２には、コンピュータに有線および無線伝送媒体のＬＡＮ（Local Area Network）と接続できる有線ＬＡＮ機能および無線ＬＡＮ機能とを設け、有線ＬＡＮケーブルの接続状況を検知して、有線あるいは無線への伝送媒体の変更を自動的に行うコンピュータの通信方式が記載されている。また、特許文献３には、無線モデムと有線モデムとを有し、充電可能な二次電源を主電源とする携帯無線装置であって、充電器の接続を検知し、その検出結果に応じて有線モデムと無線モデムとを切替える携帯無線装置が記載されている。
【特許文献１】特開平９−３０５５０８号公報（公開日：１９９７年１１月２８日）
【特許文献２】特開平１０−１６４１１４号公報（公開日：１９９８年６月１９日）
【特許文献３】特開平１１−１４６４５６号公報（公開日：１９９９年５月２８日）
【発明の開示】
【発明が解決しようとする課題】
【０００５】
しかしながら、上記した特許文献１〜３の技術は、有線通信の制御を行う有線通信部と無線通信の制御を行う無線通信部とを独立して設けることを前提としている。
【０００６】
すなわち、従来の有線通信機能と無線通信機能とを有する通信システムは、いずれも、例えば図５に示すように、データ生成・解析を行うデータ制御部１０１および無線通信有線通信の切替えを行う通信選択部１０２に加えて、有線接続用コネクタ１０４を介して有線通信を行う有線通信部１０３と、アンテナ１０６を介して無線通信を行う無線通信部１０５とを備える必要がある。
【０００７】
このように、有線通信部と無線通信部とが独立して設けられる構成では、例えば、送信機および受信機によって構成される無線映像転送システムのように、有線通信及び無線通信の切替えにかかる時間的制約が厳しく、また無線通信および有線通信の通信特性が通信速度以外にも影響を及ぼすアプリケーションを利用するシステムに適用する場合には、以下の１．〜３．に示すような問題点がある。
【０００８】
１．無線通信および有線通信の通信特性が通信速度以外の機能に影響を及ぼす場合、影響を受ける機能（アプリケーション）を調整するための手段（仕組み）を新たに設ける必要がある。例えば、映像転送機能を実現するために、各通信プロトコルにおける特有の機構、例えば無線ＬＡＮ規格ＩＥＥＥ  Ｓｔｄ．  ８０２．１１−１９９９を無線通信手段として採用し、この無線ＬＡＮ規格において規定されている、無線端末間で同期する精度の高いＴＳＦ（Timing Synchronization Function）タイマの値をアプリケーションで利用する場合、有線通信に切替える場合にはそれらのタイマを高い精度で同期させる手段を追加する必要がある。
【０００９】
２．送信すべきデータが無線通信部と有線通信部に振り分けられるため、無線通信と有線通信との切替え時に、データの重複した送信もしくはデータの欠落の発生が生じるおそれがあり、それらの発生を避けるための手段を追加する必要がある。例えば、データ制御部および通信選択部におけるデータのバッファリングによってこの問題を回避することが考えられるが、その場合には、通信の切替えが安定するまでに転送されるべき映像データ量に相当する記憶容量を有するメモリが必要であり、また、映像データをバッファリングすることによる時間的遅延が発生するという問題がある。
【００１０】
３．無線通信部および有線通信部において独立の通信プロトコルの制御を行い、かつ、前記問題点１．および２．の解決を行うためには、実装部品が増加し、実装面積及びコストが増大する。
【００１１】
本発明は、上記の問題点に鑑みてなされたものであり、その目的は、有線通信機能および無線通信機能の両方を切替えて利用可能であって、利用する通信機能に応じて両通信機能に共通に用いられる機能を調整するための手段、および、通信機能の切替え時におけるデータの重複送信や欠落を防止するための手段を設ける必要のない通信装置、通信システム、通信方法、通信プログラムとその記録媒体を提供することにある。
【課題を解決するための手段】
【００１２】
本発明の通信装置は、上記の課題を解決するために、有線通信機能および無線通信機能の両通信機能を切替え可能に備えた通信装置であって、送受信に関する動作を制御する通信制御部と、送信する信号の変調および受信した信号の復調を行う変復調部とを、上記両通信機能について共通に備えていることを特徴としている。
【００１３】
上記の構成によれば、無線通信および有線通信の通信特性が通信速度以外の機能に影響を及ぼす場合であっても、当該機能を調整するための手段を新たに設けることなく、当該機能を適切に利用することができる。
【００１４】
また、通信制御部および変復調部を各通信機能について共通に備えているので、通信するデータを各通信機能に応じて振り分ける必要がない。このため、通信機能の切替え時に、データの重複送信やデータの欠落（喪失）が生じることを避けるための手段（管理機構）を設けることなく、データ送信の遅延や欠落を防止できる。
【００１５】
また、無線通信および有線通信の通信特性に依存する機能を調整するための手段や、無線通信機能と有線通信機能との切替え時にデータの重複送信もしくはデータの欠落の発生を避けるための手段を備える必要がないので、実装部品の増加や、実装面積及びコストの増大を招くことがなく、通信速度以外の通信特性の影響を受ける機能を適切に利用でき、また、有線通信機能と無線通信機能との切替え時におけるデータ送信の遅延や欠落を防止できる。
【００１６】
また、上記変復調部は、送信するデータをベースバンド信号に変調し、受信したベースバンド信号を復調するものであり、上記ベースバンド信号に対して、上記ベースバンド信号と無線通信で送受信される信号である無線アナログ信号とを相互に変換するためのアナログ処理の全てまたは一部を施した信号である中間アナログ信号、を生成する共通アナログ処理部を備え、上記中間アナログ信号を、上記両通信機能について共通に用いる構成としてもよい。
【００１７】
上記の構成によれば、通信制御部、デジタル変復調部およびアナログ処理部が統合されている無線通信機能を提供する既存のＬＳＩを用いて、本発明の通信装置を実現できる。
【００１８】
また、信号を増幅する増幅手段を有し、無線通信時に、上記アナログ処理の一部が施された中間アナログ信号に増幅処理を施して無線アナログ信号を生成し、受信した無線アナログ信号に増幅処理を施して上記中間アナログ信号を生成する無線アナログ処理部を備え、上記共通アナログ処理部は、上記アナログ処理の一部として、上記アナログ処理から上記増幅処理を除いた処理を行う構成としてもよい。
【００１９】
上記の構成によれば、上記増幅手段によって信号強度が増幅される前の信号を、中間アナログ信号として、両通信機能において共通に用いる。このため、有線通信において送受信される信号レベルを一定にできるので、当該中間アナログ信号を有線通信で送受信される信号である有線アナログ信号に変換するための構成を省略または簡便化できる。
【００２０】
また、送信する信号の搬送波への合成処理および受信した信号に対する上記合成処理の逆処理を行う合成手段を有し、無線通信時に、上記アナログ処理の一部が施された中間アナログ信号に合成処理を施して無線アナログ信号を生成し、受信した無線アナログ信号に上記合成処理の逆処理を施して上記中間アナログ信号を生成する無線アナログ処理部を備え、上記共通アナログ処理部は、上記アナログ処理の一部として、上記アナログ処理から上記合成処理およびその逆処理を除いた処理を行う構成としてもよい。
【００２１】
上記の構成によれば、上記合成手段によって搬送波への合成処理が行われる前の信号、または上記合成手段によって上記合成処理の逆処理がなされた信号を、中間アナログ信号として、両通信機能において共通に用いる。このため、有線通信において送受信される信号として、搬送波の周波数よりも低い周波数の信号を用いることができるので、当該中間アナログ信号を有線通信で送受信される信号である有線アナログ信号に変換するための構成を省略または簡便化できる。
【００２２】
また、上記中間アナログ信号を、有線通信で送受信される信号である有線アナログ信号として用いる構成としてもよい。
【００２３】
この場合、上記中間アナログ信号を有線通信で送受信される信号である有線アナログ信号として用いるので、当該中間アナログ信号を有線通信で送受信される信号である有線アナログ信号に変換するための構成を追加する必要がなく、本発明の通信装置の構成を簡略化できる。
【００２４】
また、有線通信が可能な状態であるか否かを検知する検知手段を備え、上記通信制御部は、上記検知手段による検知結果に基づいて有線通信機能または無線通信機能のいずれを通信に利用するか選択する構成としてもよい。
【００２５】
上記の構成によれば、ユーザが有線通信機能と無線通信機能の切替えについて指示を行うことなく、上記通信制御部が自動的に通信機能の適切な切替えを行うようにできる。
【００２６】
また、経過時間を計測する計時手段を備え、上記通信制御部は、無線通信機能を選択しているときに、上記検知手段によって有線通信が可能な状態であることを検知した場合、上記計時手段に当該検知後の経過時間を計測させ、当該検知後、有線通信が可能な状態が所定の時間継続した場合に、有線通信機能に切替える構成としてもよい。
【００２７】
上記の構成によれば、無線通信機能を選択している状態において、所定の時間以上、有線通信が可能な状態が継続した場合に、上記通信制御部は有線通信が可能であると判定し、有線通信機能に切替える。これにより、有線通信の通信可否状態が不安定な場合、無線通信機能を優先的に利用し、有線通信機能が有効になることを避けることができるので、安定した通信を継続できる。
【００２８】
また、上記通信制御部は、有線通信機能を選択しているときに、上記検知手段によって有線通信が不可能な状態であることを検知した場合、無線通信機能に切替える構成としてもよい。
【００２９】
上記の構成によれば、有線通信が不可能な状態になった場合には、自動的に無線通信へ切替わるので、通信が中断されることなく、安定した通信を継続できる。
【００３０】
また、上記変復調部は、転送データ量の異なる複数の変調方式で変復調処理を行うことができ、上記通信制御部は、有線通信が選択されている場合、上記変復調部における変復調処理を、無線通信が選択されている場合よりも転送データ量の大きな変復調方式で行わせる構成としてもよい。
【００３１】
上記の構成によれば、有線通信機能による通信効率を向上させることができ、より安定した有線通信が可能となる。また、例えば、何らかの理由で無線の通信環境が悪い状況となり、上記変復調部における変復調処理を転送データ量の小さい変復調方式で行ったデータしか無線通信できず、データの通信効率が低下した場合や、あるいは、大量のデータを通信したい場合などに、有線通信に切替えることによって、通信効率が高く安定した通信を行うことが可能となる。
【００３２】
また、いずれか一方の通信機能のみを用いている場合に、他方の通信機能のみで利用される回路を低消費電力状態にするようにしてもよい。これにより、本発明の通信装置における消費電力を低減させることができる。
【００３３】
また、有線通信の受信信号を検出する有線受信検出手段と、無線通信の受信信号を検出する無線受信検出手段とを備え、上記通信制御部は、いずれかの受信検出手段によって受信信号が検出された場合に、受信信号が検出された通信機能からの受信を選択するようにしてもよい。
【００３４】
上記の構成によれば、上記通信制御部が、検出された受信信号に対応する通信機能を選択する。これにより、無線通信機能および有線通信機能のどちらを用いて送信された信号であっても、ユーザが有線通信機能と無線通信機能の切替えについて指示を行うことなく、上記通信制御部によって自動的に適切な通信機能に切替えることができる。
【００３５】
また、上記通信制御部は、信号送信時に、有線通信および無線通信の両方を用いて信号を送信させる構成としてもよい。これにより、有線通信および無線通信の双方が利用可能な通信装置に限らず、無線通信機能または有線通信機能のいずれかのみを用いた通信が可能である通信装置においても、本発明の通信装置から送信した信号を受信させることができる。
【００３６】
また、信号受信を有線通信機能と無線通信機能のいずれで行うかを選択して切替えることが可能な通信装置では、いずれの通信機能からも同じデータを受信できるので、通信機能の切替え時における通信の中断、あるいは中断によるデータの欠落等を回避することができる。
【００３７】
また、上記通信制御部は、有線通信もしくは無線通信のいずれか一方で通信を行う場合、当該通信を開始する前に、無線通信および有線通信の両方を用いて開始通知、または当該通信の通信期間情報を送信させる構成としてもよい。
【００３８】
これにより、例えば、受信側の通信装置が無線通信機能および有線通信機能の両方を利用可能な場合、一方の通信機能を用いて通信する際に、本発明の通信装置および受信側の通信装置の双方において、他方の通信機能を停止させることが可能となる。したがって、双方の通信装置において、消費電力を低減できる。
【００３９】
また、例えば、受信側の通信装置が、他方の通信機能でしか通信が可能でない場合、この受信側の通信装置は、一方の通信機能による通信信号を検出できなくても、本発明の通信装置との通信が可能でない状態であると判定し、本発明の通信装置に対して、無駄な通信の開始を回避させることが可能となる。
【００４０】
また、例えば、無線通信機能もしくは有線通信機能のいずれか一方の通信機能のみで通信可能な通信装置であっても、当該通信装置が属する通信システムにおいて、他方の通信機能による通信を行っている通信装置およびその通信期間を認知できる。このため、上記の一方の通信機能のみで通信可能な通信装置は、他方の受信信号を検知できないにもかかわらず、その期間において他方の通信機能で通信中である他の通信装置を認識し、その通信装置に対して送信を行うことを回避することができる。
【００４１】
本発明の通信システムは、上記の課題を解決するために、上記したいずれかの通信装置を含むことを特徴としている。
【００４２】
上記の構成によれば、有線通信機能および無線通信機能の両方を切替えて利用可能であって、利用する通信機能に応じて両通信機能に共通に用いられる機能を調整するための手段、および、通信機能の切替え時におけるデータの重複送信や欠落を防止するための手段を設ける必要のない通信システムを実現できる。
【００４３】
また、本発明の通信システムは、上記した、送受信に関する動作を制御する通信制御部と、送信する信号の変調および受信した信号の復調を行う変復調部とを、上記両通信機能について共通に用いる通信装置、または、上記変復調部は、送信するデータをベースバンド信号に変調し、受信したベースバンド信号を復調するものであり、上記ベースバンド信号に対して、上記ベースバンド信号と無線通信で送受信される信号である無線アナログ信号とを相互に変換するためのアナログ処理の全てまたは一部を施した信号である中間アナログ信号を生成する共通アナログ処理部を備え、上記中間アナログ信号を、上記両通信機能について共通に用いる通信装置、または、信号を増幅する増幅手段を有し、無線通信時に、上記アナログ処理の一部が施された中間アナログ信号に増幅処理を施して無線アナログ信号を生成し、受信した無線アナログ信号に増幅処理を施して上記中間アナログ信号を生成する無線アナログ処理部を備え、上記共通アナログ処理部は、上記アナログ処理の一部として、上記アナログ処理から上記増幅処理を除いた処理を行う通信装置、または、送信する信号の搬送波への合成処理および受信した信号に対する上記合成処理の逆処理を行う合成手段を有し、無線通信時に、上記アナログ処理の一部が施された中間アナログ信号に合成処理を施して無線アナログ信号を生成し、受信した無線アナログ信号に上記合成処理の逆処理を施して上記中間アナログ信号を生成する無線アナログ処理部を備え、上記共通アナログ処理部は、上記アナログ処理の一部として、上記アナログ処理から上記合成処理およびその逆処理を除いた処理を行う通信装置、または、上記中間アナログ信号を、有線通信で送受信される信号である有線アナログ信号として用いる通信装置、または、有線通信の受信信号を検出する有線受信検出手段と、無線通信の受信信号を検出する無線受信検出手段とを備え、上記通信制御部は、いずれかの受信検出手段によって受信信号が検出された場合に、受信信号が検出された通信機能からの受信を選択する通信装置、または、上記通信制御部は、信号送信時に、有線通信および無線通信の両方を用いて信号を送信させる通信装置、上記通信制御部は、有線通信もしくは無線通信のいずれか一方で通信を行う場合、当該通信を開始する前に、無線通信および有線通信の両方を用いて開始通知、または当該通信の通信期間情報を送信させる通信装置、のいずれかの通信装置を２台以上含み、かつ、無線通信機能または有線通信機能のいずれかのみを有する通信装置を含む構成としてもよい。
【００４４】
上記の構成によれば、有線通信機能および無線通信機能の両方を有する通信装置と、有線通信機能または無線通信機能のいずれかのみで通信可能な通信装置とが混在した通信システムを構成することが可能となる。
【００４５】
また、有線通信機能および無線通信機能の両通信機能を切替え可能に備えた通信装置であって、送受信に関する動作を制御する通信制御部と、送信する信号の変調および受信した信号の復調を行う変復調部とを、上記両通信機能について共通に用い、上記変復調部は、転送データ量の異なる複数の変調方式で変復調処理を行うことができ、上記通信制御部は、有線通信が選択されている場合、上記変復調部における変復調処理を、無線通信が選択されている場合よりも転送データ量の大きな変復調方式で行わせる通信装置を、当該通信システムに含まれる他の通信装置の管理を行う通信装置として用いてもよい。
【００４６】
上記の構成によれば、無線通信のみが可能なＳＴＡ（Station、通信装置）と有線通信が可能なＳＴＡとが存在する通信システムにおいて、有線通信時に無線通信時よりも転送データ量の大きなデジタル変復調方式を用いる通信装置を、ＳＴＡの通信の管理を行う通信装置であるＡＰ（Access Point、通信装置）として用いることにより、その通信システムにおけるＡＰの通信効率を向上させられる。また、ＡＰの管理する通信システム内の通信は基本的にＡＰを介して行われるので、ＡＰの通信効率が向上することにより、通信システム全体の通信効率を向上させるこが可能となる。
【００４７】
また、有線通信機能および無線通信機能の両通信機能を切替え可能に備えた通信装置であって、送受信に関する動作を制御する通信制御部と、送信する信号の変調および受信した信号の復調を行う変復調部とを、上記両通信機能について共通に用い、上記通信制御部は、信号送信時に、有線通信および無線通信の両方を用いて信号を送信させる構成の通信装置を、当該通信システムに含まれる他の通信装置の管理を行う通信装置として用いてもよい。
【００４８】
上記の構成によれば、無線通信機能のみで通信可能な通信装置、および、有線通信機能のみで通信可能な通信装置に対して、同時に同じ信号を送信することが可能となる。これにより、例えば、ＡＰからの信号送信が全てのＳＴＡで受信可能であることが必要な通信システムにおいても、上記の通信装置をＡＰとして用いることにより、有線通信のみが可能なＳＴＡや無線通信のみが可能なＳＴＡとの通信が可能な通信システムを構築することが可能となる。
【００４９】
本発明の通信方法は、上記の課題を解決するために、有線通信機能および無線通信機能の両通信機能を切替えて通信を行う通信方法であって、送信する信号の変調処理および受信した信号の復調処理を、上記両通信機能について共通の処理として行うことを特徴としている。
【００５０】
上記の方法によれば、無線通信および有線通信の通信特性が通信速度以外の機能に影響を及ぼす場合であっても、当該機能を調整するための手段を新たに設けることなく、当該機能を適切に利用することができる。
【００５１】
また、通信するデータを各通信機能に応じて振り分ける必要がないので、通信機能の切替え時に、データの重複送信やデータの欠落（喪失）が生じること避けるための手段（管理機構）を設けることなく、データ送信の遅延や欠落を防止できる。
【００５２】
また、無線通信および有線通信の通信特性に依存する機能を調整するための手段や、無線通信機能と有線通信機能との切替え時にデータの重複送信もしくはデータの欠落の発生を避けるための手段を備える必要がないので、実装部品の増加や、実装面積及びコストの増大を招くことがなく、通信速度以外の通信特性の影響を受ける機能を適切に利用でき、また、有線通信機能と無線通信機能との切替え時におけるデータ送信の遅延や欠落を防止できる。
【００５３】
本発明の通信プログラムは、上記の課題を解決するために、通信装置に備えられたコンピュータを、上記した通信装置における通信制御部として機能させるためのものである。
【００５４】
上記のようなコンピュータにこれらの通信プログラムを読み取らせることで、本発明の通信装置における通信制御部の処理を、そのコンピュータによって実現することが可能となる。
【００５５】
また、これらの通信プログラムをコンピュータによって読取可能な記録媒体に記録させておくことで、プログラムの保存・流通を容易に行えるようになる。さらに、この記録媒体を読み込ませることで、コンピュータによって、本発明の通信装置における通信制御部の処理を実施できる。
【発明の効果】
【００５６】
以上のように、本発明の通信装置は、送受信に関する動作を制御する通信制御部と、送信する信号の変調および受信した信号の復調を行う変復調部とを、上記両通信機能について共通に備えている。
【００５７】
それゆえ、無線通信および有線通信の通信特性が通信速度以外の機能に影響を及ぼす場合であっても、当該機能を調整するための手段を新たに設けることなく、当該機能を適切に利用することができる。
【００５８】
また、通信機能の切替え時に、データの重複送信やデータの欠落（喪失）が生じること避けるための手段（管理機構）を設けることなく、データ送信の遅延や欠落を防止できる。
【００５９】
また、実装部品の増加や、実装面積及びコストの増大を招くことがなく、通信速度以外の通信特性の影響を受ける機能を適切に利用でき、また、有線通信機能と無線通信機能との切替え時におけるデータ送信の遅延や欠落を防止できる。
【００６０】
本発明の通信システムは、上記したいずれかの通信装置を含む。それゆえ、有線通信機能および無線通信機能を切替えて通信することが可能であって、通信機能の切替え時におけるデータの重複送信や欠落を防止することができる通信システムを実現できる。
【００６１】
本発明の通信方法は、送信する信号の変調処理および受信した信号の復調処理を、上記両通信機能について共通の処理として行う。
【００６２】
それゆえ、無線通信および有線通信の通信特性が通信速度以外の機能に影響を及ぼす場合であっても、当該機能を調整するための手段を新たに設けることなく、当該機能を適切に利用することができる。
【００６３】
また、通信機能の切替え時に、データの重複送信やデータの欠落（喪失）が生じること避けるための手段（管理機構）を設けることなく、データ送信の遅延や欠落を防止できる。
【００６４】
また、実装部品の増加や、実装面積及びコストの増大を招くことがなく、通信速度以外の通信特性の影響を受ける機能を適切に利用でき、また、有線通信機能と無線通信機能との切替え時におけるデータ送信の遅延や欠落を防止できる。
【００６５】
本発明の通信プログラムは、通信装置に備えられたコンピュータを、上記した通信装置における通信制御部として機能させるためのものである。
【００６６】
上記のようなコンピュータにこれらの通信プログラムを読み取らせることで、本発明の通信装置における通信制御部の処理を、そのコンピュータによって実現することが可能となる。
【００６７】
また、これらの通信プログラムをコンピュータによって読取可能な記録媒体に記録させておくことで、プログラムの保存・流通を容易に行えるようになる。さらに、この記録媒体を読み込ませることで、コンピュータによって、本発明の通信装置における通信制御部の処理を実施できる。
【発明を実施するための最良の形態】
【００６８】
〔実施の形態１〕
本発明の一実施の形態について説明する。本実施の形態にかかる通信装置（後述する通信装置１００）は、有線通信機能と無線通信機能とを有し、信号の送信及び受信の動作を制御する通信制御部、および、送信データをデジタル変調してベースバンド信号へ変換し、受信したベースバンド信号をデジタル復調するデジタル変復調部を、両方の通信機能において共有している。
【００６９】
また、通信装置１００では、有線通信機能と無線通信機能との切替えを、通信ケーブルの接続状態に応じて有線通信が可能であるか否かを判定し、その判定結果に基づいて自動的に行うようになっている。
【００７０】
また、通信装置１００およびそれを含む通信システムでは、通信制御方式としてＩＥＥＥ  Ｓｔｄ．  ８０２．１１−１９９９を採用し、デジタル変復調方式および通信装置の間で送受信するアナログ信号を、ＩＥＥＥ  Ｓｔｄ．  ８０２．１１−１９９９、ＩＥＥＥ  Ｓｔｄ．  ８０２．１１ａ、ＩＥＥＥ  Ｓｔｄ．  ８０２．１１ｂまたはＩＥＥＥ  Ｓｔｄ．  ８０２．１１ｇに規定に適合するものを採用している。
【００７１】
ＩＥＥＥ  Ｓｔｄ．  ８０２．１１−１９９９に準ずる通信制御方式は、無線帯域にデータの送信を開始する前に、無線帯域における電波の検知を行い、通信が行われていないかどうかに応じて送信を開始するかどうかを決定するＣＳＭＡ／ＣＡ（ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ）方式を基本としている。
【００７２】
また、基本となる一連の通信動作は、データの送信側が、データの内容を含む信号の送信終了直後に、データの宛先となる通信装置（受信側）から返信される、データの内容を含む信号を受信したことを通知する信号を受信することによって完了する。なお、この無線通信において送信及び受信される信号の一単位をＦｒａｍｅと呼び、データを含むＦｒａｍｅをＤａｔａ  Ｆｒａｍｅ、データを正常に受信したことをデータの送信元に対して通知するＦｒａｍｅをＡＣＫ  Ｆｒａｍｅと呼ぶ。また、Ｆｒａｍｅには、そのＦｒａｍｅの送信直後から、さらに連続して残りの一連の通信動作を完了するのに必要な期間を示す情報（Duration）が含まれており、その通信の送信元（送信側）や宛先（受信側）ではない通信装置は、このＤｕｒａｔｉｏｎを用いて、その期間、無線帯域が他の通信装置によって占有されていることを認識できる。この、無線帯域が他の通信装置によって占有されているか否かを判定する機構は、ＮＡＶ機構（Network Allocation Vector）と称される。これにより、何らかの要因により電波の信号検出が不安定になったとしても、一旦開始された一連の通信が他の通信端末によって干渉されず、通信の信頼性が向上する。
【００７３】
また、通信装置１００は、ＩＥＥＥ  Ｓｔｄ．  ８０２．１１−１９９９において規定されている、当該通信システムにおける全てのＳＴＡ（Station）およびＡＰ（Access Point）が有し、かつ同期している必要があるＴＳＦ（Timing Synchronization Function）タイマの時間情報を利用した映像転送機能を実装している。ここで、ＳＴＡとは、通信（無線通信および／または有線通信）のみが可能な通信装置であり、ＡＰとは、ＳＴＡの通信の管理も行うことができる通信装置である。
【００７４】
図１は、通信装置１００の概略構成を示すブロック図である。この図に示すように、通信装置１００は、データ制御部１、通信制御部（MAC:Media Access Control）２、デジタル変復調部（変復調部、BB:Base Band）３、選択部４、有線アナログ処理部５、コネクタ部６、無線アナログ処理部７、アンテナ部８、コネクタ接続検知部（検知手段）９、タイマ（計時手段）１０を備えている。
【００７５】
データ制御部１は、通信するデータを生成して通信制御部２に伝達し、また、通信制御部２から伝達される、コネクタ部６またはアンテナ部８を介して受信したデータの処理を行う。
【００７６】
通信制御部２は、信号の送信及び受信に関する全ての動作、すなわち通信に関する全ての動作を制御する。なお、通信制御部２は、通信データをＦｒａｍｅの形式で取り扱い、Ｆｒａｍｅの送受信のタイミング指示を行う。また、通信制御部２は、コネクタ接続検知部９の検知結果に応じて、選択部４における有線通信機能と無線通信機能との切替えを制御する。より詳細には、コネクタ接続検知部９によってコネクタ部６に通信ケーブルが接続されているか否かを検出し、検出結果から有線通信が可能か否かを判定する。そして、有線通信が可能な状態であると判定した場合には有線通信モード（有線通信機能）を選択する。すなわち、有線通信機能を有効にする。一方、有線通信が不可能であると判定した場合には、無線通信モード（無線通信機能）を選択し、無線通信機能を有効にする。
【００７７】
デジタル変復調部３は、通信制御部２より受け渡される送信データ（Ｆｒａｍｅ）をデジタル変調してベースバンド信号へ変換し、また、コネクタ部６またはアンテナ部８を介して受信したベースバンド信号をデジタル復調して、通信制御部２が解析可能な受信データ（Ｆｒａｍｅ）に変換する。
【００７８】
選択部４は、デジタル変復調部３によって変換されたベースバンド信号を、ベースバンド信号に対して無線通信機能に対応するアナログ処理を行う有線アナログ処理部５、または、ベースバンド信号に対して有線通信機能に対応するアナログ処理を行う無線アナログ処理部６のどちらに伝達するかを切替える。
【００７９】
有線アナログ処理部５は、ベースバンド信号を有線通信するための有線アナログ信号に変換する。また、有線アナログ処理部５は、コネクタ部６を介して受信した有線アナログ信号を、ベースバンド信号に変換する。なお、有線アナログ信号としてベースバンド信号を用いることもでき、その場合には、有線アナログ処理部５を省略し、選択部４とコネクタ部６との間でベースバンド信号を伝達する構成としてもよい。
【００８０】
コネクタ部６は、有線アナログ処理部５によって変換された有線アナログ信号を、他の通信装置に対して送信する。また、コネクタ部６は、他の通信装置から送信された有線アナログ信号を受信し、有線アナログ処理部５に伝達する。
【００８１】
無線アナログ処理部６は、ベースバンド信号を無線通信するための無線アナログ信号に変換する。また、無線アナログ処理部６は、アンテナ部８を介して受信した無線アナログ信号を、ベースバンド信号に変換する。
【００８２】
アンテナ部８は、無線アナログ処理部６によって変換された無線アナログ信号を、他の通信装置に対して送信する。また、アンテナ部８は、他の通信装置から送信された無線アナログ信号を受信し、無線アナログ処理部７に伝達する。
【００８３】
コネクタ接続検知部９は、コネクタ部６に通信ケーブルが接続されているか否かを検出するとともに、検出結果を通信制御部２に伝達する。
【００８４】
タイマ１０は、通信制御部２の指示に応じて、時間の計測を行う。なお、タイマ１０における計測時間は、通信制御部２の指示に応じてリセットできるようになっている。
【００８５】
以上のように、通信装置１００では、有線通信機能および無線通信機能における、送受信に関する動作を制御するための通信制御部、および、送信データをベースバンド信号へ変調し、受信したベースバンド信号をデジタル復調するデジタル変復調部を共用している。すなわち、通信装置１００では、有線通信機能および無線通信機能における送受信に関する動作を、両通信機能に共通の通信制御部である通信制御部２によって制御する。また、有線通信機能および無線通信機能で送信するデータのベースバンド信号への変調、および、有線通信機能および無線通信機能で受信したベースバンド信号のデジタル復調を、両通信機能に共通のデータ変復調部であるデータ変復調部３によって行っている。
【００８６】
これにより、通信装置１００では、映像転送に利用している無線ＬＡＮ特有のＴＳＦタイマ（アプリケーション）の管理機能を実装しているにもかかわらず、有線通信時においても、無線通信機能の一部であるＴＳＦタイマを同期させる手段を追加する必要がない。すなわち、無線通信および有線通信の通信特性が通信速度以外の機能（アプリケーション）に影響を及ぼす場合であっても、影響を受ける機能を調整するための手段（仕組み）を新たに設ける必要がない。
【００８７】
また、通信装置１００では、有線通信機能および無線通信機能に対して共通の通信制御部２およびデジタル変復調部３を備えているので、通信するデータを各通信機能に応じて振り分ける必要がない。このため、通信機能の切替え時に、データの重複送信もしくはデータの欠落（喪失）が生じること避けるための手段（管理機構）を設ける必要がない。また、このような手段を設けることなく、データ送信の遅延や欠落、およびそれらに伴う映像の乱れを防止できる。
【００８８】
また、このように、無線通信および有線通信の通信特性に依存する機能を調整するための手段や、無線通信と有線通信との切替え時にデータの重複送信もしくはデータの欠落の発生を避けるための手段を備える必要がないので、実装部品の増加や、実装面積及びコストの増大を招くことがない。すなわち、部品点数の増加や、実装面積及びコストの増大を招くことなく、無線通信および有線通信の通信特性に依存する機能の調整、および、無線通信と有線通信との切替え時におけるデータの重複送信もしくはデータの欠落を防止することができる。
【００８９】
次に、通信装置１００における有線通信機能および無線通信機能の切替え動作について説明する。図２は、通信装置１００における通信機能の切替え処理の流れを示すフロー図である。
【００９０】
通信装置１００が起動されると、通信制御部２は、まず、コネクタ部６に通信ケーブルが接続されているか否かを検出する（Ｓ１）。すなわち、通信制御部２は、コネクタ接続検知部９が、コネクタ部６に通信ケーブルが接続されたことを検知したか否かを判断する。
【００９１】
そして、コネクタ部６に通信ケーブルが接続されている場合、通信制御部２は、選択部４を制御し、有線通信モードに切替える（Ｓ２）。すなわち、通信制御部２は、コネクタ部６に通信ケーブルが接続されており、有線通信が可能な状態の場合には、有線通信機能を有効にする。なお、コネクタ部６に通信ケーブルが接続されていない場合、すなわち有線通信が不可能な状態の場合には、通信制御部２は、後述するＳ５以降の処理を行う。
【００９２】
Ｓ２において有線通信モードに切替えた後も、通信制御部２は、コネクタ部６に通信ケーブルが接続されているか否かを引き続き監視する（Ｓ３）。
【００９３】
そして、コネクタ部６に通信ケーブルが接続されている場合には、通信制御部２は、有線通信モードを継続させるとともに、ユーザからの通信装置１００の電源オフ指示を待機する（Ｓ４）。なお、通信装置１００は、図示しない電源スイッチを備えており、ユーザはこの電源スイッチを介して通信制御部２に電源オフ指示を伝達できるようになっている。
【００９４】
そして、Ｓ４において電源オフ指示がなされていない場合、通信制御部２は、有線通信モードを継続するとともに、Ｓ３以降の処理を継続する。一方、Ｓ４において電源オフ指示がなされた場合、通信制御部２は、処理を終了する。
【００９５】
また、Ｓ１およびＳ３において、コネクタ部６に通信ケーブルが接続されていない場合、通信制御部２は、有線通信が不可能な状態であると判断し、無線通信モードに切替える（Ｓ５）。
【００９６】
また、Ｓ５において無線通信モードに切替えた後、通信制御部２は、コネクタ部６に通信ケーブルが接続されることを監視する（Ｓ６）。
【００９７】
そして、コネクタ接続検知部９が、コネクタ部６に通信ケーブルが接続されたことを検知した場合、通信制御部２は、タイマ１０をリセットするとともに時間の計測を開始させる（Ｓ７）。なお、コネクタ部６に通信ケーブルが接続されていない場合、通信制御部２は、後述するＳ１０の処理を行う。
【００９８】
また、通信制御部２は、Ｓ７の処理を行った後も、コネクタ部６に通信ケーブルが接続されているか否かを引き続き監視する（Ｓ８）。
【００９９】
ここで、コネクタ接続検知部９がコネクタ部６への通信ケーブルの接続を検知しなくなった場合、すなわちコネクタ部６に対する通信ケーブルの接続が解除された場合、通信制御部２は、後述するＳ１０の処理を行う。
【０１００】
一方、コネクタ接続検知部９がコネクタ部６への通信ケーブルの接続を検知し続けている場合、すなわちコネクタ部６に対する通信ケーブルの接続状態が継続されている場合、通信制御部２は、タイマ１１による計測時間が予め設定された所定の時間以上経過したか否かを判断する（Ｓ９）。
【０１０１】
そして、タイマ１１による計測時間が所定の時間を超過した場合、通信制御部２は、Ｓ２以降の処理を行う。すなわち、通信制御部２は、有線通信が可能な状態であると判断するとともに、選択部４を制御し、通信機能を無線通信モードから有線通信モードに切替える。
【０１０２】
また、Ｓ９においてタイマ１１による計測時間が所定の時間に達していない場合、通信制御部２は、Ｓ８以降の処理を継続する。
【０１０３】
また、Ｓ６においてコネクタ部６に通信ケーブルが接続されていない場合、あるいは、Ｓ８においてコネクタ部６に対する通信ケーブルの接続が解除された場合、通信制御部２は、無線通信モードを継続するとともに、ユーザからの通信装置１００の電源オフ指示を待機する（Ｓ１０）。
【０１０４】
そして、電源オフ指示がなされていない場合、通信制御部２は無線通信モードを継続するとともに、Ｓ６以降の処理を継続する。一方、電源オフ指示がなされた場合には、通信制御部２は、処理を終了する。
【０１０５】
以上のように、通信装置１００では、有線通信機能と無線通信機能との切替えを、コネクタ接続検知部９による、コネクタ部６に通信ケーブルが接続されているか否かの検知結果（コネクタの挿抜状態の検知結果）、すなわち、有線通信が可能であるか否かの検知結果に応じて行っている。これにより、ユーザが有線通信機能と無線通信機能の切替えについて指示を行うことなく、通信制御部２が自動的に通信機能の適切な切替えを行うようにできる。
【０１０６】
また、通信装置１００では、無線通信機能を選択している状態において、コネクタ部６に通信ケーブルが接続されたことを検知した後、所定の時間（一定期間）以上この接続状態が継続された場合に、有線通信が可能であると判定し、有線通信機能に切替える。
【０１０７】
これにより、無線通信機能から有線通信機能へ切替える際、コネクタ部６に対する通信ケーブルの挿抜時等におけるコネクタ接触（コネクタ部６に対する通信ケーブルの接触（接続）状態）が不安定な時間において、無線通信機能を優先的に利用し、有線通信機能が有効になることを避けることができるので、安定した通信を継続できる。
【０１０８】
また、通信装置１００では、有線通信機能を選択している状態において、コネクタ部６に通信ケーブルが接続されていないことを検知した場合に、即座に無線通信機能に切替える。すなわち、コネクタ部６に対する通信ケーブルの接続状態の検知結果より、有線通信が不可能な状態であることが検出された場合には、即座に無線通信機能に切替える。これにより、有線通信が不可能になった場合には、即座に自動的に無線通信へ切替わるので、通信が中断されることなく、安定した通信を継続できる。
【０１０９】
なお、通信装置１００では、通信制御方式としてＩＥＥＥ  Ｓｔｄ．  ８０２．１１−１９９９を採用し、デジタル変復調方式および通信装置の間で送受信するアナログ信号を、ＩＥＥＥ  Ｓｔｄ．  ８０２．１１−１９９９、ＩＥＥＥ  Ｓｔｄ．  ８０２．１１ａ、ＩＥＥＥ  Ｓｔｄ．  ８０２．１１ｂまたはＩＥＥＥ  Ｓｔｄ．  ８０２．１１ｇに規定に適合するものを採用したが、通信装置１００における通信制御方式、デジタル変復調方式、通信装置の間で送受信するアナログ信号は、上記の規定に限るものではない。
【０１１０】
例えば、上記の各規定の一部のみを採用し、それ以外は他の方式を採用していても構わない。また、無線通信機能および有線通信機能において通信制御方式およびデジタル変復調方式が共有可能であってデジタル通信が可能なものであれば、全て異なる方式としてもよい。
【０１１１】
また、通信装置１００において、有線通信時には、デジタル変復調部が行うデジタル変復調を、無線通信時に比べて転送データ量の大きな変復調方式で行うようにしてもよい。この場合、例えば、何らかの理由で無線の通信環境が悪い状況となり、デジタル変復調を転送データ量の小さい変復調方式で行ったデータしか通信できず、データの通信効率が低下した場合や、あるいは、大量のデータを通信したい場合などに、有線通信に切替えることによって通信効率が高く安定した通信を行うことが可能となる。なお、無線の通信環境の悪化を検知する手段を設け、無線の通信環境が所定の基準よりも悪化した場合に、通信制御部２が選択部４を制御し、無線通信機能から有線通信機能に自動的に切替えるようにしてもよい。
【０１１２】
また、通信装置１００において、有線通信機能によって通信を行う通信端末（通信装置）および無線通信機能によって通信を行う通信端末の両方に対して、時分割で交互に通信を行う場合、有線通信時に無線通信時よりも転送データ量の大きなデジタル変復調方式を用いることにより、有線通信によって占有される期間、すなわち有線通信を行う期間が短くなり、無線通信が可能となる期間が長くなるので、通信装置１００における通信効率を向上させることができる。
【０１１３】
また、無線通信のみが可能なＳＴＡ（Ｓｔａｔｉｏｎ）と有線通信が可能なＳＴＡとが存在する通信システム（ネットワーク）において、有線通信時に無線通信時よりも転送データ量の大きなデジタル変復調方式を用いる通信装置１００を、ＳＴＡの通信の管理を行う通信装置であるＡＰ（Ａｃｃｅｓｓ  Ｐｏｉｎｔ）として用いることにより、そのネットワークにおけるＡＰの通信効率を向上させられる。また、ＡＰの管理するネットワーク内の通信は基本的にＡＰを介して行われるので、ＡＰの通信効率が向上することにより、ネットワーク全体の通信効率を向上させるこが可能となる。
【０１１４】
例えば、無線ＬＡＮに本発明を適用し、無線通信のみが可能なＳＴＡ（Ｓｔａｔｉｏｎ、通信装置）と有線通信が可能なＳＴＡが存在し、そのＳＴＡの通信の管理を行う通信装置であるＡＰ（Ａｃｃｅｓｓ  Ｐｏｉｎｔ）が有線通信機能と無線通信機能を使用可能である場合に、ＡＰの管理するネットワーク内の通信は基本的にＡＰを介して行われるため、ＡＰの通信効率が向上することによりネットワーク全体の通信効率を向上させるこが可能となる。
【０１１５】
また、通信装置１００において、いずれか一方の通信機能のみを用いている場合に、他方の通信機能のみで利用される回路を低消費電力状態にするようにしてもよい。これにより、消費電力を低減させることができる。例えば、有線通信時には、通信制御部２が、無線通信時のみに利用される回路を低消費電力状態とするようにしてもよい。これにより、有線通信機能が選択されている場合に、消費電力を低減できる。なお、この場合、低消費電力状態にする回路としては、無線アナログ処理部７の一部、例えば無線通信において電波送出時に信号を増幅する回路であるＰＡ（Ｐｏｗｅｒ  Ａｍｐｌｉｆｉｅｒ）、微弱受信電波信号の増幅を行う回路であるＬＮＡ（Ｌｏｗ  Ｎｏｉｓｅ  Ａｍｐｌｉｆｉｅｒ）などが挙げられる。これらの回路への電力供給を止めることで、消費電力を低減できる。
【０１１６】
また、通信装置１００では、有線通信機能と無線通信機能との切替えを、全て、通信制御部２がコネクタ部６への通信ケーブルの接続状態に応じて行うものとしているが、これに限るものではない。例えば、ユーザからの通信機能の選択に関する指示を受け付ける手段を設け、ユーザからの指示があった場合には、その指示に応じて切替えを行うようにしてもよい。これにより、例えば、コネクタ部６に通信ケーブルが接続されており、有線通信が可能な状態であっても、ユーザが無線通信を希望する場合には、無線通信を行うようにすることができる。
【０１１７】
〔実施の形態２〕
本発明の他の実施の形態について説明する。実施の形態１では、コネクタ部６における接続状態を検知し、有線通信が可能な場合には無線通信を行わずに有線通信を行うように、有線通信機能および無線通信機能の切替えを行う通信装置１００について説明した。この構成は、通信ケーブルを介して接続され、互いに有線通信機能を使用できる２台の通信装置によって構成される通信システム、あるいは、通信システムを構成する全ての通信装置が有線通信機能および無線通信機能の両方を使用できる通信システムに適用する場合に有効である。
【０１１８】
しかしながら、２台以上の通信装置によって構成される通信システムであって、当該通信システムが有線通信機能または無線通信機能のいずれかのみによって通信が可能な通信装置を含む場合には、必ずしも有効ではない場合がある。例えば、実施の形態１における通信装置１００では、有線通信が可能な状態の場合には有線通信機能を選択するものとしたが、この構成では、通信装置１００が有線通信可能な状態であるものの、通信先の通信装置が無線通信しか行えない場合には、通信ができない。
【０１１９】
そこで、本実施の形態では、有線通信が可能な状態であっても、無線通信のみが可能な通信装置との通信を行える通信装置およびそれを含む通信システムについて説明する。
【０１２０】
図３は、本実施の形態にかかる通信装置（通信装置２００）の概略構成を示すブロック図である。通信装置２００は、有線通信が可能な状態であっても、無線通信のみが可能な通信装置との通信を行えるようになっている。なお、説明の便宜上、実施の形態１における通信装置１００と同じ機能を有する機能ブロックについては、実施の形態１と同じ符号を用い、その説明を省略する。
【０１２１】
通信装置２００は、図３に示すように、データ制御部１、通信制御部（ＭＡＣ）２ａ、デジタル変復調部３、選択部４ａ、有線アナログ処理部５ａ、コネクタ部６、無線アナログ処理部７ａ、アンテナ部８を備えている。また、通信装置２００およびそれを含む通信システムでは、実施の形態１における通信装置１と同様、通信制御方式としてＩＥＥＥ  Ｓｔｄ．  ８０２．１１−１９９９を採用し、デジタル変復調方式および通信装置の間で送受信するアナログ信号を、ＩＥＥＥ  Ｓｔｄ．  ８０２．１１−１９９９、ＩＥＥＥ  Ｓｔｄ．  ８０２．１１ａ、ＩＥＥＥ  Ｓｔｄ．  ８０２．１１ｂまたはＩＥＥＥ  Ｓｔｄ．  ８０２．１１ｇに規定に適合するものを採用している。
【０１２２】
選択部４ａは、Ｆｒａｍｅ送信を行う場合に、有線アナログ処理部と無線アナログ処理部の両方にベースバンド信号を出力する。すなわち、通信装置２００では、Ｆｒａｍｅ送信を行う場合に、通信制御部２ａが選択部４ａを制御し、有線通信および無線通信の両方を行うようになっている。これにより、通信装置２００から送信されるＦｒａｍｅは、無線通信機能または有線通信機能のいずれかのみが通信可能である端末（通信装置）においても受信できる。
【０１２３】
有線アナログ処理部５ａは、ベースバンド信号を有線通信するための有線アナログ信号に変換する。また、有線アナログ処理部５ａは、コネクタ部６を介して受信した有線アナログ信号を、ベースバンド信号に変換する。また、有線アナログ処理部５ａは、コネクタ受信強度計測部２１を備えている。このコネクタ受信強度計測部２１は、Ｆｒａｍｅ受信を行う場合、コネクタ部６における受信強度を計測し、計測結果を通信制御部２ａに伝達する。
【０１２４】
無線アナログ処理部７ａは、ベースバンド信号を無線通信するための無線アナログ信号に変換する。また、無線アナログ処理部７ａは、アンテナ部８を介して受信した無線アナログ信号を、ベースバンド信号に変換する。また、無線アナログ処理部７ａは、アンテナ受信強度計測部２２を備えている。アンテナ受信強度計測部２２は、Ｆｒａｍｅ受信を行う場合、アンテナ部８における受信強度を計測し、計測結果を通信制御部２ａに伝達する。
【０１２５】
通信制御部２ａは、信号の送信及び受信に関する全ての動作を制御する。なお、通信制御部２ａは、通信データをＦｒａｍｅの形式で取り扱い、Ｆｒａｍｅの送受信のタイミング指示を行う。
【０１２６】
また、通信制御部２ａは、Ｆｒａｍｅ受信を行う場合、コネクタ受信強度計測部２１およびアンテナ受信強度計測部２２の計測結果に応じて、選択部４での有線通信機能と無線通信機能との切替えを制御する。より詳細には、通信制御部２ａは、コネクタ部６およびアンテナ部８において計測された受信信号の強度から、有線通信または無線通信のいずれにおいてＦｒａｍｅ受信が開始されたかを判定し、有線通信機能と無線通信機能のいずれで受信処理をおこなうかを選択する。これにより、無線通信機能および有線通信機能のどちらを用いて送信されたＦｒａｍｅについても受信することができる。
【０１２７】
ここで、通信装置２００において、有線通信機能および無線通信機能のいずれの通信方法を用いてＦｒａｍｅ受信を行うかを選択する方法について説明する。図４は、通信装置２００において、Ｆｒａｍｅ受信を行う通信機能を選択するための処理の流れを示すフロー図である。
【０１２８】
通信装置２００が起動されると、通信制御部２ａは、コネクタ部６またはアンテナ部８において受信信号が検知（受信）されることを監視する（Ｓ１０１）。すなわち、有線通信機能または無線通信機能において受信信号が検知されることを監視する。
【０１２９】
そして、有線通信機能または無線通信機能のいずれかにおいて受信信号が検知された場合、通信制御部２ａは、その受信信号が有線通信の信号か否かを判定する（Ｓ１０２）。すなわち、受信信号が、有線通信機能と無線通信機能のどちらにおいて検出されたかを判定する。
【０１３０】
そして、受信信号が有線通信機能において検出された場合には、有線通信機能からのＦｒａｍｅ受信を選択する（Ｓ１０３）。その後、通信制御部２ａは、有線通信機能からのＦｒａｍｅ受信が終了するまで、有線通信機能からのＦｒａｍｅ受信を継続させる（Ｓ１０４）。
【０１３１】
また、有線通信機能からのＦｒａｍｅ受信が終了した場合には、通信制御部２ａは、ユーザからの電源オフ指示があったか否かを判断する（Ｓ１０５）。そして、電源オフ指示がない場合には、再びＳ１０１からの処理を行う。一方、電源オフ指示があった場合には、通信制御部２ａは処理を終了する。なお、図示しない入力手段を介して、ユーザが、通信制御部２ａに通信装置１００の電源オフ指示を与えられるようになっている。
【０１３２】
一方、Ｓ１０２において、受信信号が有線通信の信号ではなかった場合、すなわち無線通信機能で受信信号が検出された場合、通信制御部２ａは、無線通信機能からのＦｒａｍｅ受信を選択する（Ｓ１０６）。その後、通信制御部２ａは、無線通信機能からのＦｒａｍｅ受信が終了するまで、無線通信機能からのＦｒａｍｅ受信を継続させる（Ｓ１０７）。
【０１３３】
また、無線通信機能からのＦｒａｍｅ受信が終了した場合には、通信制御部２ａは、電源オフ指示があったか否かを判断する（Ｓ１０８）。そして、電源オフ指示がない場合には、再びＳ１０１からの処理を行う。一方、電源オフ指示があった場合には、通信制御部２ａは処理を終了する。
【０１３４】
以上のように、本実施の形態にかかる通信装置２００では、Ｆｒａｍｅ送信を行う場合に、通信制御部２ａが選択部４ａを制御し、有線通信および無線通信の両方を行う。すなわち、通信装置２００では、有線通信および無線通信が共に通信可能な状態である場合であって、通信装置２００から信号を送信する場合、選択部４ａは、通信制御部２ａの指示に応じて、データ変復調部２で変調したベースバンド信号を、有線アナログ処理部５ａと無線アナログ処理部７ａの両方へ伝達する。
【０１３５】
これにより、通信装置２００から送信されるＦｒａｍｅを、有線通信および無線通信の双方が利用可能な通信装置に限らず、無線通信機能または有線通信機能のいずれかのみが通信可能である通信装置においても受信できる。
【０１３６】
したがって、信号受信を有線通信機能と無線通信機能のいずれで行うかを選択して切替えることが可能な通信装置では、いずれの通信機能からも同じデータを受信できるので、通信機能の切替え時における通信の中断、あるいは中断によるデータの欠落等を回避することができる。
【０１３７】
また、無線通信機能のみで通信可能な通信装置、および、有線通信機能のみで通信可能な通信装置に対して、同時に同じ信号を送信することが可能となる。これにより、例えば、ＡＰからの信号送信が全てのＳＴＡで受信可能であることが必要である無線ＬＡＮネットワークにおいても、ＡＰとして通信装置２００を用いることにより、有線通信のみが可能なＳＴＡや無線通信のみが可能なＳＴＡとの通信が可能なネットワーク（通信システム）を構築することが可能となる。
【０１３８】
また、通信装置２００では、通信制御部２ａが、コネクタ受信強度計測部２１およびアンテナ受信強度計測部２２を介して有線通信の受信信号と無線通信の受信信号とを常に監視しており、受信信号を検出した通信機能からの受信を行うように、有線通信機能と無線通信機能との切替えを行う。
【０１３９】
これにより、有線通信で送信されてきた受信信号および無線通信で送信されてきた受信信号の双方を適切に受信できる。したがって、通信装置２００が有線通信機能および無線通信機能が共に通信可能である状態において、無線通信が可能な他の通信装置あるいは有線通信が可能な他の通信装置の両方に対して、適切に通信を行うことが可能となる。
【０１４０】
なお、通信装置２００において、Ｆｒａｍｅ送信時にその宛先の通信装置が、有線通信および無線通信のいずれで通信可能であるか確定している場合には、有線通信機能と無線通信機能のいずれかのみを動作させてＦｒａｍｅ送信を行うようにしてもよい。
【０１４１】
この場合、送信先の通信装置との通信を行うために必要な通信機能のみを動作させればよいので、消費電力を抑制することが可能となる。
【０１４２】
また、Ｆｒａｍｅの送信直後もしくは受信直後において、続いてＦｒａｍｅが受信されることを予測でき、かつ受信が予測されるＦｒａｍｅが有線通信または無線通信のいずれで送信されてくるかが予測できる場合には、コネクタ部６およびアンテナ部８からの受信信号検出結果に関わらず、Ｆｒａｍｅ受信が予測される通信機能を一定期間選択するようにしてもよい。例えば、Ｄａｔａ  Ｆｒａｍｅ送信を有線機能においてのみ送信した後においては、有線通信でのＡＣＫ  Ｆｒａｍｅの受信が予測されるので、その場合には、ＡＣＫ  Ｆｒａｍｅの受信が有線通信で開始される前に、無線通信において何らかの理由で信号受信が検出されても、無線通信機能ではなく有線通信機能でのＦｒａｍｅ受信を選択するようにしてもよい。これにより、例えば、Ｆｒａｍｅ送信、および、その後に予測されるＡＣＫ  Ｆｒａｍｅの受信に関する一連の通信動作を確実に行える。
【０１４３】
なお、このような構成とする場合、何らかの要因によりＡＣＫ  Ｆｒａｍｅが受信されなかった場合には、Ｄａｔａ  Ｆｒａｍｅ送信終了から一定期間経過した時に、有線通信機能の選択を終了することが好ましい。また、上記一定期間として、例えば、無線ＬＡＮ規格においてＤａｔａ  Ｆｒａｍｅ送信後にそのＤａｔａ  Ｆｒａｍｅに対するＡＣＫ  Ｆｒａｍｅの受信待ち状態を終了する期間であるＡＣＫ  Ｔｉｍｅｏｕｔを用いてもよい。
【０１４４】
また、通信装置２００において、有線通信機能または無線通信機能のいずれか一方のみで一連の通信動作を行う場合、有線通信機能または無線通信機能のいずれか一方による通信を開始する前に、無線通信機能および有線通信機能の両方で、開始通知そのもの、もしくはいずれか一方の通信機能による通信期間を通知するようにしてもよい。
【０１４５】
これにより、例えば、受信側の通信装置が無線通信機能および有線通信機能の両方を利用可能な場合、一方の通信機能を用いて通信する際に、通信装置２００および受信側の通信装置の双方において、他方の通信機能を停止させることができる。したがって、双方の通信装置において、消費電力を低減させることが可能となる。
【０１４６】
また、例えば受信側の通信装置が、他方の通信機能でしか通信が可能でない場合、この受信側の通信装置は、実際の通信信号（一方の通信機能による通信信号）を検出できなくても、通信が可能でない状態であると判定し、通信中の通信装置２００に対して、無駄な通信の開始を回避させることが可能となる。
【０１４７】
また、無線通信機能もしくは有線通信機能のいずれか一方の通信機能のみで通信可能な通信装置が、当該通信装置が属する通信システム（ネットワーク）において、他方の通信機能による通信を行っている通信装置およびその通信期間を認知できる。このため、上記の一方の通信機能のみで通信可能な通信装置は、他方の受信信号を検知できないにもかかわらず、その期間において他方の通信機能で通信中である他の通信装置を認識し、その通信装置に対して送信を行うことを回避することができる。
【０１４８】
本実施の形態において通信制御の方式として採用しているＩＥＥＥ  Ｓｔｄ．  ８０２．１１−１９９９では、Ｆｒａｍｅに含まれるＤｕｒａｔｉｏｎを用い、一連の通信動作に必要な期間、他の通信装置からの干渉を防ぐＮＡＶ機構を有している。このため、一連の通信動作のうちの最初Ｆｒａｍｅ送信を有線通信機能および無線通信機能の両方で送信し、それに続く残りのＦｒａｍｅ通信については有線通信機能または無線通信機能のうち、宛先となる通信装置が通信可能な方の通信機能のみで通信するようにしてもよい。
【０１４９】
また、無線ＬＡＮ規格の通信制御方式におけるＱｏＳ（Ｑｕａｒｉｔｙ  ｏｆ  Ｓｅｒｖｉｃｅ）機能拡張の規定であるＩＥＥＥ  Ｐ８０２．１１ｅ  Ｄｒａｆｔ８．０には、ＡＰがＱｏＳ  ＣＦ−Ｐｏｌｌ  Ｆｒａｍｅの送信を行い、ＮＡＶ機構を利用して他のＳＴＡによる通信動作の開始を防ぎ、特定のＳＴＡが独占的に通信を行うことができる期間を割り当てる機構がある。この場合、一連の通信動作において最初に送信されるＦｒａｍｅは、ＡＰが送信するＱｏＳ  ＣＦ−Ｐｏｌｌ  Ｆｒａｍｅである。このため、通信装置２００において、送信されるＦｒａｍｅがＱｏＳ  ＣＦ−Ｐｏｌｌ  Ｆｒａｍｅである場合に、有線通信機能および無線通信機能の両方を用いて送信を行うようにしてもよい。
【０１５０】
また、有線通信機能と無線通信機能とを有する通信装置を２つ以上含み、さらに無線通信機能もしくは有線通信機能のいずれかのみを有する通信装置をひとつ以上含む通信システムにおいて、有線通信機能と無線通信機能とを有する通信装置の少なくとも１つに通信装置２００を用いるようにしてもよい。これにより、有線通信機能と無線通信機能とを有する通信装置と、有線通信機能もしくは無線通信機能のいずれかのみで通信可能な通信装置とが混在した通信システムにおいて、適切な通信が可能となる通信システムを構築できる。
【０１５１】
〔実施の形態３〕
本発明のさらに他の実施の形態について説明する。実施の形態１および２では、有線通信機能および無線通信機能で、通信制御部とデジタル変復調部とを共有する通信装置の構成例について示した。これに対して、本実施の形態では、有線通信機能および無線通信機能の両通信機能において、通信制御部およびデジタル変復調部に加えて、ベースバンド信号と有線アナログ信号または無線アナログ信号とを相互に変換するアナログ処理の一部または全てを共有する通信装置およびそれを含む通信システムについて説明する。
【０１５２】
図５は、本実施の形態にかかる通信装置３００の概略構成を示すブロック図である。なお、説明の便宜上、実施の形態１における通信装置１００または実施の形態２における通信装置２００と同じ機能を有する機能ブロックについては、それらと同じ符号を用い、その説明を省略する。
【０１５３】
この図に示すように、通信装置３００は、データ制御部１、通信制御部（ＭＡＣ）２ｂ、デジタル変復調部３、共通アナログ処理部３１、選択部４ｂ、有線アナログ処理部５ｂ、コネクタ部６、無線アナログ処理部７ｂ、アンテナ部８を備えている。
【０１５４】
共通アナログ処理部３１は、送信時にはデジタル変復調処理部３から受け取ったベースバンド信号に対してアナログ処理の一部を行い、中間アナログ信号に変換する。また、受信時には、中間アナログ信号からベースバンド信号への変換を行う。
【０１５５】
有線アナログ処理部５ｂは、共通アナログ処理部３１から受け取った中間アナログ信号を、有線通信が可能な有線アナログ信号に変換し、コネクタ部６に伝達する。これにより、コネクタ部６を経由して相手（送信先）の通信装置との有線通信が可能となる。また、有線アナログ処理部５ｂは、他の通信装置から受信した有線アナログ信号に対して、ベースバンド信号への変換処理の一部を行い、中間アナログ信号に変換する。
【０１５６】
無線アナログ処理部７ｂは、共通アナログ処理部３１から受け取った中間アナログ信号を、無線通信が可能な無線アナログ信号に変換し、アンテナ部８に伝達する。これにより、アンテナ部８を経由して相手の通信装置との無線通信が可能となる。また、無線アナログ処理部５ｂは、他の通信装置から受信した無線アナログ信号に対して、ベースバンド信号への変換処理の一部を行い、中間アナログ信号に変換する。
【０１５７】
選択部４ｂでは、通信制御部２ｂの指示に応じて、有線通信機能または無線通信機能のいずれを用いて送信または受信するかの選択を行う。すなわち、中間アナログ信号を、有線通信機能で用いる有線アナログ処理部５ａとの間で伝達するか、無線通信機能で用いる無線アナログ処理部７ａとの間において伝達するかを切替える。
【０１５８】
このように、通信装置３００では、通信制御部２ｂ、デジタル変復調部３及び共通アナログ処理部３１を、有線通信機能および無線通信機の双方について共通に用いている。これにより、通信制御部２ｂ、デジタル変復調部３及び共通アナログ処理部３１が１つのＬＳＩに搭載されている無線ＬＡＮのＬＳＩ（通信制御部、デジタル変復調部およびアナログ処理部を統合されている無線通信機能を提供する既存のＬＳＩ）を用いて、本発明の通信装置、すなわち、有線通信機能および無線通信機能が切替え可能であって、通信機能の切替え時におけるデータの重複送信や欠落を防止できる通信装置を実現できる。
【０１５９】
また、通信装置３００の構成は、無線通信を行うためにこのような無線ＬＡＮのＬＳＩを用いる構成に限るものではない。例えば、送信電波信号を増幅する部品であるＰＡや受信電波信号を増幅する部品であるＬＮＡを無線アナログ処理部５ｂとして用いてもよい。この場合、受信信号に対して信号増幅を施した信号、すなわち、ベースバンド信号に対して有線アナログ処理部５ｂにおける信号送信直前の信号増幅及び受信直後の信号増幅以外のアナログ処理を施した信号を、中間アナログ信号として用いることになる。
【０１６０】
一般に、有線通信においては、電気的に信号強度が一定のレベルであることが望ましい。このため、増幅器によって信号強度が増幅される前の信号を中間アナログ信号として用いることにより、有線通信において送受信される信号レベルを一定にでき、有線機能の信号処理部（有線アナログ処理部５ａ）をより簡易な構成の電気回路で実現できるる。
【０１６１】
また、無線アナログ処理部５ｂにおいて搬送波に合成される前の信号を、中間アナログ信号として用いてもよい。つまり、共通アナログ処理部３１において、無線アナログ処理部５ｂにおける搬送波との合成前までのアナログ処理を行い、無線アナログ処理部５ｂにおいて搬送波への合成処理を行うようにしてもよい。これにより、有線アナログ処理部５ａで扱う信号が搬送波よりも低い周波数となり、ノイズ対策等の設計の制約が容易になる。
【０１６２】
また、無線アナログ処理部７ｂにおいて、アナログ信号の増幅、搬送波との合成、もしくは直行信号の合成を行い、それ以外のアナログ処理を共通アナログ処理部３１（第一の処理部）で行うようにしてもよい。
【０１６３】
また、有線通信機能を用いて他の通信装置と通信する場合、両通信装置のコネクタ部間で送受信される信号として中間アナログ信号を用いることもできる。この場合、有線アナログ処理部５ａを省略し、選択部４ｂとコネクタ部６との間で中間アナログ信号を伝達するようにしてもよい。
【０１６４】
また、上記の説明では、共通アナログ処理部３１が、ベースバンド信号と有線アナログ信号または無線アナログ信号とを相互に変換するアナログ処理の一部を両通信機能について共通に行う構成について説明したが、これに限らず、共通アナログ処理部３１によって、全てのアナログ処理を両通信機能について共通に行うようにしてもよい。この場合、有線アナログ処理部５ａおよび無線アナログ処理部５ｂを省略することができる。
【０１６５】
また、上記した各実施の形態では、通信装置１００，２００，３００における信号の送信及び受信に関する全ての動作を通信制御部２，２ａ，２ｂの制御により行うとしている。しかしながら、これに限らず、これらの処理を行うためのプログラムを記録媒体に記録し、このプログラムを読み出すことのできる情報処理装置を、通信制御部２，２ａ，２ｂに代えて用いるようにしてもよい。
【０１６６】
この構成では、情報処理装置の演算装置（ＣＰＵやＭＰＵ）が、記録媒体に記録されているプログラムを読み出して処理を実行する。従って、このプログラム自体が処理を実現するといえる。
【０１６７】
ここで、上記の情報処理装置としては、一般的なコンピュータ（ワークステーションやパソコン）の他に、コンピュータに装着される、機能拡張ボードや機能拡張ユニットを用いることができる。
【０１６８】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリー（ＲＡＭ等）にいったん記憶され、その後再び読み出されて実行されるようなものでもよい。
【０１６９】
また、プログラムを記録させる記録媒体は、情報処理装置と容易に分離できるものでもよいし、装置に固定（装着）されるものでもよい。さらに、外部記憶機器として装置に接続するものでもよい。
【０１７０】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリーなどを適用できる。
【０１７１】
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０１７２】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１７３】
本発明は、有線通信機能および無線通信機能を切替え可能に備える、通信装置全般に適用できる。また、本発明の通信装置は、有線通信機能および／または無線通信機能によって通信可能な通信装置によって構成される通信システムに適用できる。また、本発明の通信装置は、これらの通信システムにおいて、ＡＰとして用いられる通信機器に適用することもできる。
【図面の簡単な説明】
【０１７４】
【図１】本発明の一実施の形態にかかる通信装置の概略構成を示すブロック図である。
【図２】本発明の一実施の形態にかかる通信装置における動作の流れを示すフロー図である。本発明の実施例３における通信装置の構成の概略を示すブロック図である。
【図３】本発明の他の実施の形態にかかる通信装置における動作の流れを示すフロー図である
【図４】本発明の他の実施の形態にかかる通信装置において、Ｆｒａｍｅ受信を行う通信機能の選択を行うための処理の流れを示すフローチャートである。
【図５】本発明のさらに他の実施の形態にかかる通信装置の概略構成を示すブロック図である。
【図６】従来の有線通信機能と無線通信機能とを有する通信装置の概略構成を示すブロック図である。
【符号の説明】
【０１７５】
１  データ制御部
２，２ａ，２ｂ  通信制御部
３  デジタル変復調部（変復調部）
４，４ａ，４ｂ  選択部
５，５ａ，５ｂ  有線アナログ処理部
６  コネクタ部
７，７ａ，７ｂ  無線アナログ処理部
８  アンテナ部
９  コネクタ接続検知部（検知手段）
１１  タイマ（計時手段）
２１  コネクタ受信強度計測部（有線受信検出手段）
２２  アンテナ受信強度計測部（無線受信検出手段）
３１  共通アナログ処理部
１００，２００，３００  通信装置
【図１】
2005333395.tif 000003
【図２】
2005333395.tif 000004
【図３】
2005333395.tif 000005
【図４】
2005333395.tif 000006
【図５】
2005333395.tif 000007
【図６】
2005333395.tif 000008